(57)【要約】【課題】  簡易な構成でありながらも有効に、椅子の座面を前後左右に傾斜させられ、使用者の負担軽減や座り心地向上に寄与する椅子を提供すること。【解決手段】  座面を前後左右に傾斜させる揺動機構を備えた椅子であって、その揺動機構が、上下２段に積層される上座板及び下座板と、その両座板の間に連結される複数の弾性体とを有し、上座板と下座板とが接する部位である上座板の下面における略中央部と下座板の上面における略中央部とに、両者を相対的に揺動可能にする曲面部を設けた。上座板の下面と下座板の上面の曲面部を、略ドーム状の凸部と略ドーム状の凹部とから構成してもよい。また、略ドーム状の凸部の頂部に突起を設けると共に、その突起が嵌合する穴を略ドーム状の凹部の頂部に設けてもよい。【選択図】  図６
2010022487.tif 000002
【特許請求の範囲】
【請求項１】
座面を前後左右に傾斜させる揺動機構を備えた椅子であって、
その揺動機構が、上下２段に積層される上座板及び下座板と、その両座板の間に連結される複数の弾性体とを有し、
上座板と下座板とが接する部位である上座板の下面における略中央部と下座板の上面における略中央部とに、両者を相対的に揺動可能にする曲面部を設けた
ことを特徴とする椅子。
【請求項２】
上座板の下面と下座板の上面の曲面部が、略ドーム状の凸部と略ドーム状の凹部とから成る
請求項１に記載の椅子。
【請求項３】
略ドーム状の凸部の頂部に突起を設けると共に、その突起が嵌合する穴を略ドーム状の凹部の頂部に設けた
請求項２に記載の椅子。
【発明の詳細な説明】
【技術分野】
【０００１】
本発明は、座面を前後左右に傾斜させる揺動機構を備えた椅子に関する。
【背景技術】
【０００２】
従来の椅子では、長時間座ったままの姿勢を継続すると、背中や腰への負担が生じ背筋痛や腰痛などの症状が引き起こされることがある。また下半身では、臀部や大腿部が上半身の体重によって圧迫されることで、下半身の血行不良やエコノミー症候群が引き起こされることがある。
長時間にわたって同じ着席姿勢を継続することから生じるこれらの症状に対応するために、従来用いられてきた技術には、背もたれの角度を着席者に対して前後に変えることができるリクライニング機能がある。
しかしながら、このリクライニング機能は背中や腰部への負担を軽減する効果を発揮することはできるが、臀部以下の下半身の血行不良やエコノミー症候群の原因を解消するための手段としては十分な効果を発揮することができなかった。
【０００３】
このため、長時間にわたって椅子に座ったままの姿勢を継続する必要がある場合に、臀部や大腿部への上半身の体重による圧迫を解消するためには、一時的に椅子から立ち上がって歩行したり、あるいは椅子に座ったままで足を左右に組んだりする必要があった。足を組む方法では、右足を左足の上に組めば右側の臀部や大腿部にかかる上半身の体重による圧迫が軽減され、その結果下半身右側の血行不良が改善される。反対に左足を右足の上に組めば下半身左側の血行不良が改善される。
【０００４】
しかしながら、例えば自動車を運転中のドライバーや飛行機を操縦中のパイロットのように、運転席や操縦席に座ったままの状態を維持する必要があり、かつ運転や操縦中に足を左右に組むことが座席の構造的、機能的見地から不可能な場合がある。そのような場合には、従来の背もたれの角度を前後に変えるだけのリクライニング機能では、長時間座ったままの姿勢を継続にすることによって引き起こされる下半身の血行不良やエコノミー症候群には対応することはできなかった。
【０００５】
椅子を傾斜させる従来の技術には、特許文献１〜５がある。
【０００６】
【特許文献１】特開２００３−１０２８０１
【特許文献２】特開２００２−３３６０９５
【特許文献３】特開２００２−８７２５９
【特許文献４】特開２００７−８９９９３
【特許文献５】特開２００５−２１８８３０
【０００７】
しかし、従来技術には、椅子の座面を前後左右に傾斜する機能を有する椅子はなかった。
【発明の開示】
【発明が解決しようとする課題】
【０００８】
そこで、本発明は、簡易な構成でありながらも有効に、椅子の座面を前後左右に傾斜させられ、使用者の負担軽減や座り心地向上に寄与する椅子を提供することを課題とする。
【課題を解決するための手段】
【０００９】
上記課題を解決するために、本発明の椅子は次の構成を備える。
すなわち、座面を前後左右に傾斜させる揺動機構を備えた椅子であって、その揺動機構が、上下２段に積層される上座板及び下座板と、その両座板の間に連結される複数の弾性体とを有し、上座板と下座板とが接する部位である上座板の下面における略中央部と下座板の上面における略中央部とに、両者を相対的に揺動可能にする曲面部を設けたことを特徴とする。
【００１０】
ここで、上座板の下面と下座板の上面の曲面部を、略ドーム状の凸部と略ドーム状の凹部とから構成してもよい。
【００１１】
また、略ドーム状の凸部の頂部に突起を設けると共に、その突起が嵌合する穴を略ドーム状の凹部の頂部に設けてもよい。
【発明の効果】
【００１２】
本発明は、上記構成を備えることにより次の効果を奏する。
すなわち、座面を前後左右に傾斜させる揺動機構を備えるので、従来の椅子に活用されてきたリクライニング機能では解決できなかった、長時間にわたって椅子に座った状態を継続する場合に、上半身の体重が臀部や大腿部を圧迫することによって引き起こされる下半身の血行不良やエコノミー症候群等の負担が抑止される。また、足の組みかえや着席時に座板を前後左右に傾斜させることで、着席時に動かすことができる姿勢の範囲が拡大し、より快適に着座した状態を継続することが可能になる。更に、椅子の座板を前後左右に傾斜させることで、脊椎が左右いずれかに湾曲した脊椎側湾の矯正のための椅子にも活用することができる。
【発明を実施するための最良の形態】
【００１３】
以下、本発明の実施形態を、図面に示す実施例を基に説明する。なお、実施形態は下記の例示に限らず、本発明の趣旨から逸脱しない範囲で、前記特許文献など従来公知の技術を用いて適宜設計変更可能である。
例えば、以下に説述する本発明の実施例においては、「上の座板の底面のドーム状の凹部」と「下の座板の上面のドーム状の凸部」を、それぞれ「上の座板の底面のドーム状の凸部」と「下の座板の上面のドーム状の凹部」に入れ替えても同様の効果を得ることができる。
【００１４】
本発明の基本構造を成す椅子は、上の座板（Ｕ）と下の座板（Ｌ）の２枚の座板と、これら２枚の座板を連結させるための１２本等の複数本のらせんバネ（Ｓ）の組み合わせから成る。
【００１５】
図１は、下の座板（Ｌ）の上面（２０ｆ）を真上から見た平面図である。
下の座板（Ｌ）の上面（２０ｆ）の中央部には、下の座板の略中央を中心とする、直径１６６ｍｍ、高さ２５ｍｍのドーム状の凸部（２０ｘ）がある。
このドーム状の凸部（２０ｘ）の頂点には、直径１０ｍｍ、長さ１０ｍｍの円筒形の、上の座板脱落防止用突起（Ｍ）が装着されている。
【００１６】
また、下の座板（Ｌ）の略中央を中心とする直径２８０ｍｍの円の円周（３０ｉ）と、下の座板（Ｌ）の中心を中心とする直径３２０ｍｍの円の円周（３０ｅ）とに挟まれた斜線で示された部分には、傾斜角度調整用ストッパー（Ｒ）が装着されている。
また、下の座板（Ｌ）にはらせんバネ（Ｓ）を取り付けるための穴（Ｈ）が合計１２ヵ所に設けられている。
【００１７】
図２は、下の座板の上面のドーム状の凸部の断面を示す説明図である。
下の座板（Ｌ）の上面（２０ｆ）のドーム状の凸部（２０ｘ）は、図の斜線部に相当し、半径が１５０ｍｍの球体を、球体の中心から１２５ｍｍのところで、球体の中心を通る直線に対して直角に切り取ることによってできる、底面の直径が１６６ｍｍ、高さが２５ｍｍのドーム（２０ｚ）と同形である。
なお、下の座板（Ｌ）の上面（２０ｆ）のドーム状の凸部（２０ｘ）を除く下の座板の（Ｌ）のサイズは幅４４０ｍｍ、奥行３９０ｍｍ、厚さ２５ｍｍである。
【００１８】
図３は、上の座板（Ｕ）の底面（１０ｒ）を真上から見た平面図である。
上の座板（Ｕ）の底面（１０ｒ）の中央部には、上の座板の略中央を中心とする、直径７７ｍｍ、深さ５ｍｍのドーム状の凹部（１０ｘ）がある。
このドーム状の凹部（１０ｘ）の頂点には、直径１１ｍｍ、深さ４ｍｍの上の座板脱落防止用突起挿入用穴（Ｎ）が設けられている。
【００１９】
また、上の座板（Ｕ）にはらせんバネ（Ｓ）を取り付けるための穴（Ｈ）が合計１２ヶ所に設けられている。
【００２０】
図４は、上の座板の底面のドーム状の凹部の断面を示す説明図である。
上の座板（Ｕ）の底面（１０ｒ）のドーム状の凹部（１０ｘ）は、半径が１５０ｍｍの球体を、球体の中心から１４５ｍｍのところで、球体の中心を通る直線に対して直角に切り取ることによってできる、底面の直径が７７ｍｍ、高さが５ｍｍのドーム（１０ｚ）と同形である。
なお、上の座板（Ｕ）の底面（１０ｒ）のドーム状の凹部（１０ｘ）を含む上の座板の（Ｕ）のサイズは幅４５０ｍｍ、奥行４００ｍｍ、厚さ２５ｍｍである。
【００２１】
本発明は、大小様々なデザイン、サイズ、用途の椅子を対象とすることができるが、ここでは好適実施例として、上の座板（Ｕ）のサイズが幅４５０ｍｍ、奥行が４００ｍｍの椅子を１例挙げて説述する。なお、上の座板（Ｕ）の前後左右の側面（１０ａ、１０ｂ、１０ｃ、１０ｄ）に取り付けられたハサミ込防止板（Ｖ、Ｗ）を含む場合の座板のサイズは、幅４５６ｍｍ、奥行４０６ｍｍである。
【００２２】
また、本発明を活用して製作される椅子は、デザイン、サイズ、用途、強度、重量等に応じて様々な材質の材料を使用することが可能である。
らせんバネ（Ｓ）、らせんバネ固定用ピン（Ｐ）、上の座板脱落防止用突起（Ｍ）の３点はステンレス製、ハサミ込み防止板（Ｖ、Ｗ）はアクリル製、傾斜角度調整用ストッパー（Ｒ）は硬質ゴム製で、その他の部分はすべて木製であるものが有用に使用できる。
【００２３】
図５は、上下の座板（Ｕ、Ｌ）が水平に連結された状態を示す断面図である。
図５は図３におけるＣ−Ｃ′の線上で垂直にカットされた上の座板（Ｕ）と、図１におけるＡ−Ａ′の線上で垂直にカットされた下の座板（Ｌ）を重ね合わせた断面図である。なお、らせんバネ（Ｓ）は、わかりやすくするために断面では示していない。
図５における上の座板（Ｕ）の幅は４５０ｍｍ、下の座板（Ｌ）の幅は４４０ｍｍである。なお、図５の断面の中心と直角に交差する直線、すなわち図３におけるＤ−Ｄ′の線上で垂直にカットされた上の座板（Ｕ）と、図１におけるＢ−Ｂ′の線上で垂直にカットされた下の座板（Ｌ）を重ね合わせた断面図では、上の座板（Ｕ）の幅は４００ｍｍ、下の座板（Ｌ）の幅は３９０ｍｍになる。
【００２４】
上の座板（Ｕ）の底面（１０ｒ）の中心に位置しているドーム状の凹部（１０ｘ）と、下の座板（Ｌ）の上面（２０ｆ）の中心に位置しているドーム状の凸部（２０ｘ）は、それぞれが相互に呼応する位置関係にある限り、上下の座板（Ｕ、Ｌ）の前後左右に移動させることが可能であり、必ずしも上下の座板（Ｕ、Ｌ）の中心に厳密に位置する必要はない。
【００２５】
図６は、図５における上の座板（Ｕ）が右側に最大限に傾斜した状態を示す断面図である。図７は、下の座板のドーム状の凸部を示す断面説明図である。図８は、上の座板のドーム状の凹部を示す断面説明図である。なお、らせんバネ（Ｓ）は、わかりやすくするために断面では示していない。
図６の断面の中心と直角に交差する直線、すなわち図３におけるＤ−Ｄ′の線上で垂直にカットされた上の座板（Ｕ）と、図１におけるＢ−Ｂ′の線上で垂直にカットされた下の座板（Ｌ）を重ね合わせた断面図では、上の座板（Ｕ）の傾斜角度は約３度で、上の座板（Ｕ）の左右の両端の高低差は約２２ｍｍである。
【００２６】
図６における上の座板（Ｕ）の傾斜角度は約３度で、上の座板（Ｕ）の左右の両端の高低差は約２４ｍｍである。
この状態は、下の座板（Ｌ）の上面（２０ｆ）の中心部に設けられた、図１、図２、図７に示される直径１６６ｍｍ、高さ２５ｍｍのドーム状の凸部（２０ｘ）に、上の座板（Ｕ）の底面（１０ｒ）の中心部に設けられた、図３、図４、図８で示される直径７７ｍｍ、深さ５ｍｍのドーム状の凹部（１０ｘ）を重ね合わせて上下の座板を結合させることによって作り出すことが可能である。
【００２７】
なお、上下２枚の座板（Ｕ、Ｌ）が重ね合わさった状態において、上の座板（Ｕ）の脱落を防止するために、下の座板（Ｌ）の上面（２０ｆ）のドーム状の凸部（２０ｘ）の頂点に、直径１０ｍｍ、長さ１０ｍｍのステンレス製の円筒形の上の座板脱落防止用突起（Ｍ）が、図１、図５、図６、図７で示されるように、上から３ｍｍをドーム状の凸部（２０ｘ）から出た状態で装着されている。
そして、この上の座板脱落防止用突起（Ｍ）に呼応するように、上の座板（Ｕ）の底面（１０ｒ）のドーム状の凹部（１０ｘ）の中心部に、図３、図５、図６、図８で示される、直径１１ｍｍ、深さ４ｍｍの円筒形の上の座板脱落防止用突起挿入穴（Ｎ）が設けられている。
上の座板（Ｕ）の底面（１０ｒ）のドーム状の凹部（１０ｘ）と、下の座板（Ｌ）の上面（２０ｆ）のドーム状の凸部（２０ｘ）を、上の座板脱落防止用突起挿入穴（Ｎ）に上の座板脱落防止用突起（Ｍ）が挿入された形で重ね合わせることで、上の座板（Ｕ）の脱落を防止することが可能である。
【００２８】
さらに、上下の座板（Ｕ、Ｌ）の連結力を増し、かつ上の座板（Ｕ）が傾斜した状態の時に上の座板（Ｕ）に掛るよじれを防止し、より安定して上下の座板（Ｕ、Ｌ）を連結するばかりでなく、上の座板（Ｕ）に適当なクッション効果を持たせて快適な座り心地を得るために、上下の座板（Ｕ、Ｌ）の間には直径１０ｍｍのらせんバネ（Ｓ）が合計１２本、若干引き伸ばされた状態で、図５、図６、図１０で示す通り取り付けられている。らせんバネ（Ｓ）は、負荷をかけない状態では６０ｍｍのバネを７０ｍｍに伸ばした程度の状態が好ましい。
なお、これらのらせんバネ（Ｓ）を取り付けるために上下の座板（Ｕ、Ｌ）に空けられているらせんバネ用穴（Ｈ）の直径は１５ｍｍである。これらのらせんバネ用穴（Ｈ）の配置は図１、図３、図５、図６、図１０に示す通りである。
【００２９】
図９は、らせんバネの固定部周辺の斜視説明図である。
らせんバネ（Ｓ）を上下の座板（Ｕ、Ｌ）に固定するために、らせんバネ固定用ピン収納ミゾ（Ｑ）に、らせんバネ（Ｓ）の先端がらせんバネ固定用ピン（Ｐ）で固定される。
図９に示されるらせんバネ固定用ピン収納ミゾ（Ｑ）は長さ４５ｍｍ、幅１０ｍｍ、深さ６ｍｍで、図１０に示す通り上の座板（Ｕ）の上面（１０ｆ）と、下の座板（Ｌ）の底面（２０ｒ）上に、共に、それぞれの座板の外周線と略平行になるように設置されている。なお、らせんバネ固定用ピンはステンレス製で、直径５ｍｍ、長さ３５ｍｍの円筒形をしている。
【００３０】
図１０は、らせんバネ（Ｓ）が取り付けられた状態の上の座板の上面の平面図である。
図１０では上の座板（Ｕ）の上面（１０ｆ）のみが示されている。下の座板（Ｌ）の底面（２０ｒ）上のらせんバネ固定用ピン収納ミゾ（Ｑ）は、それぞれ上の座板（Ｕ）の上面（１０ｆ）に設置されたらせんバネ固定用ピン収納ミゾ（Ｑ）の真下に位置している。
【００３１】
上の座板（Ｕ）の最大傾斜角度を約３度に制限するために、下の座板（Ｌ）の上面（２０ｆ）に、下の座板（Ｌ）の中心を円の中心とする直径２８０ｍｍの円の円周（３０ｉ）と、直径３２０ｍｍの円の円周（３０ｅ）に挟まれた部分（図１の斜線部）に、図１、図５、図６で示す通り、幅２０ｍｍの硬質ゴム製のドーナツ状の傾斜角度調整用ストッパー（Ｒ）が装着されている。傾斜角度調整用ストッパー（Ｒ）は内側の円周（３０ｉ）の高さが１３ｍｍ、外側の円周（３０ｅ）の高さが１１ｍｍで、上の座板（Ｕ）の最大傾斜角度に合わせて内側から外側に向かって約３度傾斜している。
【００３２】
上の座板（Ｕ）の左側の側面（１０ｃ）と右側の側面（１０ｄ）にはアクリル製の長さ４００ｍｍ、幅６０ｍｍ、厚さ３ｍｍのハサミ込み防止板（Ｖ）が、また上の座板（Ｕ）の前方の側面（１０ａ）と後方の側面（１０ｂ）にはアクリル製の長さ４５６ｍｍ、幅６０ｍｍ、厚さ３ｍｍのハサミ込み防止板（Ｗ）が図３、図５、図６、図１０に示す通り装着されている。これは上の座板（Ｕ）が傾斜した時に下の座板（Ｌ）との間にできる隙間に指や物がハサミ込まれることを防止するためのものである。
上下の座板（Ｕ、Ｌ）を椅子のフレームに取り付ける際には、上の座板（Ｕ）の傾斜時にハサミ込み防止板（Ｖ、Ｗ）の先端が、椅子のフレームに接触しないための若干のスペースを確保することが望まれる。
【産業上の利用可能性】
【００３３】
本発明は、長時間にわたって椅子に着席した状態を維持しなければならない人が使用する椅子に有用である。長距離トラックやタクシーの運転手のための椅子、航続距離の長い航路を飛ぶ飛行機のパイロットのための椅子など広い用途がある。また、利用者が椅子から一時的に立ち上がって歩行することや、あるいは足を左右に組むことができる場合でも、ほとんど一日中座りっぱなしの状態で仕事をする事務職員や工場作業員等が使用する椅子にも適用できるので、より快適に長時間にわたって座ったままの姿勢を継続することができることを考慮すれば、本発明はあらゆる椅子への活用が可能である。
また、直立した状態の人を背後から見た場合に、本来床面に対して垂直であるべき脊椎が左右いずれかに湾曲してしまう、脊椎側湾の矯正にも利用できる。例えば、背後から見て脊椎が左側に湾曲している人が、すなわち背後から見て上半身が右側に偏っている人が、椅子の座板を正面から見て右側よりも左側を高くした状態の椅子に座った場合には、上半身を水平に保とうとして、上体を背後から見て左側に傾けようとする意識が働くために脊椎の左側への湾曲が矯正される効果が得られる。反対に、脊椎が右側に湾曲している人の場合には、座板を左側よりも右側を高くした状態の椅子に座ることで同様の矯正効果が得られ、産業上利用価値が高い。
【図面の簡単な説明】
【００３４】
【図１】下の座板の上面の平面図
【図２】下の座板の上面のドーム状の凸部の説明図
【図３】上の座板の底面の平面図
【図４】上の座板の底面のドーム状の凹部の説明図
【図５】上下の座板の断面図（上の座板が水平の状態の時）
【図６】上下の座板の断面図（上の座板が右側に最大に傾斜した状態の時）
【図７】下の座板のドーム状の凸部を示す断面説明図
【図８】上の座板のドーム状の凹部を示す断面説明図
【図９】らせんバネの固定部周辺の斜視説明図
【図１０】らせんバネが取り付けられた状態の上の座板の上面の平面図
【符号の説明】
【００３５】
Ｕ  上の座板
Ｌ  下の座板
Ｓ  らせんバネ
Ｈ  らせんバネ用穴
Ｐ  らせんバネ固定用ピン
Ｑ  らせんバネ固定用ピン収納ミゾ
Ｒ  傾斜角度調整用ストッパー
Ｍ  上の座板脱落防止用突起
Ｎ  上の座板脱落防止用突起挿入用穴
Ｖ  ハサミ込み防止板（長さ４００ｍｍ）
Ｗ  ハサミ込み防止板（長さ４５６ｍｍ）
１０ｆ  上の座板の上面
１０ｒ  上の座板の底面
１０ａ  上の座板の前方の側面
１０ｂ  上の座板の後方の側面
１０ｃ  上の座板の左側の側面
１０ｄ  上の座板の右側の側面
１０ｘ  上の座板の底面のドーム状の凹部
１０ｙ  上の座板の底面のドーム状の凹部の外周線
１０ｚ  上の座板の底面のドーム状の凹部（１０ｘ）と同一のドーム（斜線部）
２０ｆ  下の座板の上面
２０ｒ  下の座板の底面
２０ａ  下の座板の前方の側面
２０ｂ  下の座板の後方の側面
２０ｃ  下の座板の左側の側面
２０ｄ  下の座板の右側の側面
２０ｘ  下の座板の上面のドーム状の凸部
２０ｙ  下の座板の上面のドーム状の凸部の外周線
２０ｚ  下の座板の上面のドーム状の凸部（２０ｘ）と同一のドーム（斜線部）
３０ｆ  傾斜角度調整用ストッパーの上面
３０ｒ  傾斜角度調整用ストッパーの底面
３０ｅ  傾斜角度調整用ストッパーの側面（外周側）
３０ｉ  傾斜角度調整用ストッパーの側面（内周側）
４０ｆ  ハサミ込み防止板の表て面
４０ｒ  ハサミ込み防止板の裏面
４０ｕ  ハサミ込み防止板の上面
４０ｌ  ハサミ込み防止板の底面
４０ｓ  ハサミ込み防止板の側面
【図１】
2010022487.tif 000003
【図２】
2010022487.tif 000004
【図３】
2010022487.tif 000005
【図４】
2010022487.tif 000006
【図５】
2010022487.tif 000007
【図６】
2010022487.tif 000008
【図７】
2010022487.tif 000009
【図８】
2010022487.tif 000010
【図９】
2010022487.tif 000011
【図１０】
2010022487.tif 000012